(57)【要約】      （修正有）【課題】タイプの異なるコンセントに対して使い分けられる交流直流変換器を提供する。【解決手段】栓刃とボディとを有するプラグ１０と、プラグ１０に装備されたＵＳＢポート６０と、プラグ１０に内蔵された電力変換ユニットと、を備える。栓刃が、タイプの異なる第１及び第２の栓刃４１に分かれ、ボディが第１ボディ２２と第２ボディ４２とに分かれている。プラグ１０は、電力変換ユニットとＵＳＢポート６０と第１栓刃とが第１ボディ２２に組み付けられてなるメインプラグ２０と、第２栓刃４１とソケット部とが第２ボディ４２に組み付けられてなるサブプラグ４０とに分割されている。メインプラグ２０とサブプラグ４０とが着脱可能である。【選択図】図１
0003195400.tif 000002
【実用新案登録請求の範囲】
【請求項１】
電源としてのコンセントの接続孔に挿抜可能な栓刃とこの栓刃が取り付けられたボディとを有するプラグと、このプラグに装備されたＵＳＢポートと、上記プラグに内蔵されて上記栓刃が上記コンセントから取得した交流電力を一定電圧の直流電力に変換して上記ＵＳＢポートに供給する電力変換ユニットと、を備えた交流直流変換器であって、
上記栓刃が、タイプの異なる第１及び第２の栓刃に分かれていると共に、上記ボディが第１ボディと第２ボディとに分かれていて、
上記プラグが、上記電力変換ユニットと上記ＵＳＢポートと上記第１栓刃とが上記第１ボディに組み付けられてなるメインプラグと、上記第２栓刃とこの第２栓刃に電気的に接続された電極を有するソケット部とが上記第２ボディに組み付けられてなるサブプラグとに分割され、
上記メインプラグと上記サブプラグとが着脱機構を介して着脱可能に構成されていると共に、その着脱機構を介して上記メインプラグに上記サブプラグを装着するのに伴って、上記第１栓刃が上記ソケット部に挿入されてそのソケット部の電極に電気的に接続するように構成されていることを特徴とする交流直流変換器。
【請求項２】
上記第１栓刃は、上記第１ボディの一面から突出して上記コンセントの接続孔に挿入可能な突出姿勢と第１ボディの上記一面に形成された凹所に収容される待避姿勢との間で回動可能に上記第１ボディに取り付けられ、
上記着脱機構が、上記凹所と、第１ボディの上記一面にコーナー部を介して隣接する第１ボディの他面で開口する上記凹所の開放口と、上記凹所に嵌合されて待避姿勢の上記第１栓刃の長手方向にスライド可能な上記ソケット部と、上記凹所の底面に対向するように上記第１ボディに設けられて、上記開放口から上記凹所に嵌合された上記ソケット部を上記底面との間で挟む突条と、を有する請求項１に記載した交流直流変換器。
【請求項３】
上記突条が、上記開放口から上記凹所に嵌合された上記ソケット部の左右の側縁部に対応する箇所にそれぞれ設けられていて、これらの突条は、上記凹所に嵌合された上記ソケット部の左右の側縁部に係合してこのソケット部が上記凹所から抜脱することを阻止する抜脱阻止部を形成している請求項２に記載した交流直流変換器。
【請求項４】
上記第１ボディ及び上記第２ボディのいずれか一方側に板ばね部とその板ばね部に具備された突起が備わり、他方側に、上記ソケット部を上記凹所内でスライドさせたときに上記突起が板ばねの変位を伴って嵌脱する凹部が設けられていて、これらの突起と凹部とによって、メインプラグに装着されたサブプラグの位置決め機構が構成されている請求項２又は請求項３に記載した交流直流変換器。
【請求項５】
同一形状の上記ソケット部を備える複数の上記第サブプラグを有し、それらのサブプラグのそれぞれの第２ボディに、タイプの異なる上記第２栓刃が各別に装備されている請求項１ないし請求項４のいずれか１項に記載した交流直流変換器。
【考案の詳細な説明】
【技術分野】
【０００１】
本考案は、交流直流変換器、特に、電源としてのコンセントによって供給される電力を、スマートフォンや携帯電話、タブレット、ＷｉＦｉルータといったＵＳＢ規格に適合する端末デバイスを充電したり、携帯充電器などのＵＳＢ規格に適合するデバイスを充電したりすることに利用される交流直流変換器に関する。
【背景技術】
【０００２】
この種の交流直流変換器の先行例として、携帯式電源コンセントに関する提案がなされている（たとえば、特許文献１参照）。特許文献１によって提案されている携帯式電源コンセントは、内部に変圧装置を含む携帯式電源充電器が、携帯電話やパソコンなどの機器に接続される出力側のＵＳＢケーブルと、多種の造形・規格に各別に適合する複数種類のコンセントを接続可能な挿入接続部と、を備えている。また、他の先行例として、ユニバーサル充電器に関する提案がなされている（たとえば、特許文献２参照）。特許文献２によって提案されているユニバーサル充電器は、出力コードを有するプラグ本体に、様々なタイプのパワーアダプタを付け替えることができるようになっている。そして、特許文献２に記載されているプラグ本体及びパワーアダプタはそれぞれ、特許文献１の挿入接続部を備える携帯式電源充電器及び複数種類のコンセントに相当するものと考えられる。また、特許文献１に記載されている複数種類のコンセントのそれぞれは、電源としてのコンセントに接続可能なプラグに相当しているとも云える。したがって、説明の内容をわかりやすくすることを意図して、以下の説明では、特許文献１に記載されている複数種類のコンセントのそれぞれを「プラグ」と称することにする。
【０００３】
上掲の特許文献１によって提案されている携帯式電源コンセントによれば、携帯式充電器の挿入接続部に、タイプの異なる複数種類のプラグから選択した１つのプラグを接続することによって、国や地域によって個別に定められているタイプの電源としてのコンセントに携帯式電源コンセントを適合させて使い分けることが可能になるという利便性が得られる。同様の利便性は、特許文献２によって提案されているユニバーサル充電器によっても得られることが明らかである。
【先行技術文献】
【特許文献】
【０００４】
【特許文献１】実登第３０４８７８３号公報
【特許文献２】特開２００７−２８０９２１号公報
【考案の概要】
【考案が解決しようとする課題】
【０００５】
特許文献１によって提案されている先行例の携帯式電源コンセントは、携帯式充電器及びタイプの異なる複数種類のプラグのそれぞれが、別個独立したユニット部品として構成されているけれども、携帯式電源充電器自体には、電源としてのコンセントに接続することのできるプラグとしての機能が備わっていない。このため、国や地域に応じて使い分けることが必要になるプラグの個数がたとえば４個であると仮定すると、それらすべての国や地域において上記の携帯式電源コンセントを使い分けることを可能にするためには、１つの携帯式電源充電器と共に、タイプの異なる４個のプラグが必要になる。言い換えると、携帯式電源充電器でなる１つのユニット部品とプラグでなる４個のユニット部品とが必要になり、全体としては５個のユニット部品が必要になる。
【０００６】
しかしながら、上記のように、１つの携帯式電源充電器と共に、国や地域に応じて使い分けることが必要になる個数と同数のプラグを１セットとしてパッケージ包装して販売する場合を考えると、国や地域の電源としてのコンセントのタイプの数よりも１つだけ多い個数のユニット部品（携帯式電源充電器）を包装できるだけのサイズのパッケージが必要になるだけでなく、それらを携帯するときにも複数のユニット部品が嵩張りやすくなるということが考えられる。
【０００７】
その一方で、すべてのプラグにデバイスに電力を供給するためのＵＳＢポートを具備させると、個々のプラグのサイズが大きくなり、価格も高くなる、という点で好ましくない。
【０００８】
本考案は、上記の事情に鑑み、すべてのユニット部品に、国や地域に応じて使い分けることが可能なタイプのプラグとしての機能を持たせる一方で、それらのユニット部品の１つだけにデバイスに電力を供給するためのＵＳＢポートを具備させるという考え方を採用し、ＵＳＢポートを備えたユニット部品をメインプラグとして、そのメインプラグに、ＵＳＢポートを備えていないユニット部品としてのサブプラグを組み合わせて使用することを可能にすることによって、１セットでのパッケージのサイズを先行例のものよりもコンパクトにすることができ、また、価格を安く抑えることが可能で、携帯時の嵩張りが先行例のものよりも少なくて済む交流直流変換器を提供することを目的とする。
【課題を解決するための手段】
【０００９】
本考案に係る交流直流変換器は、電源としてのコンセントの接続孔に挿抜可能な栓刃とこの栓刃が取り付けられたボディとを有するプラグと、このプラグに装備されたＵＳＢポートと、上記プラグに内蔵されて上記栓刃が上記コンセントから取得した交流電力を一定電圧の直流電力に変換して上記ＵＳＢポートに供給する電力変換ユニットと、を備えている。そして、上記栓刃が、タイプの異なる第１及び第２の栓刃に分かれていると共に、上記ボディが第１ボディと第２ボディ本体とに分かれていて、上記プラグが、上記電力変換ユニットと上記ＵＳＢポートと上記第１栓刃とが上記第１ボディに組み付けられてなるメインプラグと、上記第２栓刃とこの第２栓刃に電気的に接続された電極を有するソケット部とが上記第２ボディに組み付けられてなるサブプラグとに分割され、上記メインプラグと上記サブプラグとが着脱機構を介して着脱可能に構成されていると共に、その着脱機構を介して上記メインプラグに上記サブプラグを装着するのに伴って、上記第１栓刃が上記ソケット部に挿入されてそのソケット部の電極に電気的に接続するように構成されている。
【００１０】
この構成によると、第１栓刃を有するユニット部品としてのメインプラグだけがデバイスに電力を供給するためのＵＳＢポートを備え、第２栓刃を有するユニット部品としてのサブプラグはＵＳＢポートを有していないので、全部のユニット部品にＵＳＢポートを具備させたものに比べて全体としての価格を安く抑えることができ、また、１セットでのパッケージのサイズも先行例のものよりコンパクトになり、携帯時の嵩張りについても先行例のものより少なくて済む。それにもかかわらず、メインプラグにサブプラグを装着すると、サブプラグの第２栓刃をそれが適合するコンセントの接続孔に挿入してプラグとしての機能を発揮させ、メインプラグのＵＳＢポートを使ってデバイスに電力を供給させることができるので、当該交流直流変換器を、コンセントのタイプが異なる国や地域に応じて使い分けることが可能である。
【００１１】
したがって、本考案によると、国や地域に応じて使い分けることが必要になるプラグの個数がたとえば２個であると仮定すると、それらの国や地域において当該交流直流変換器を使い分けることを可能にするためには、１個のメインプラグと１個のサブプラグとが必要になるだけであり、全体として２個のユニット部品が必要になるだけである。このことにより、本考案に係る交流直流変換器は、先行例のものよりもユニット部品の必要数が１個だけ少なくて済むようになる。
【００１２】
本考案において、上記第１栓刃は、上記第１ボディの一面から突出して上記コンセントの接続孔に挿入可能な突出姿勢と第１ボディの上記一面に形成された凹所に収容される待避姿勢との間で回動可能に上記第１ボディに取り付けられ、上記着脱機構が、上記凹所と、第１ボディの上記一面にコーナー部を介して隣接する第１ボディの他面で開口する上記凹所の開放口と、上記凹所に嵌合されて待避姿勢の上記第１栓刃の長手方向にスライド可能な上記ソケット部と、上記凹所の底面に対向するように上記第１ボディに設けられて、上記開放口から上記凹所に嵌合された上記ソケット部を上記底面との間で挟む突条と、を有する、という構成を採用することが可能である。この構成を備えていると、第１栓刃をボディ本体の凹所に収容して待避姿勢にすることにより、ボディ本体から第１栓刃が突出することがなくなってメインプラグがコンパクトになるという利点がある。この利点は、メインプラグを包装するためのパッケージのコンパクト化を促進することにも役立つ。また、メインプラグにサブプラグを装着すると、サブプラグのソケット部がボディ本体の凹所に収容されて、サブプラグの第２ボディがメインプラグの第１ボディに重なり合う。そのため、装着状態での全体形状がコンパクトになるという利点がある。また、メインプラグにサブプラグを装着するための操作は、サブプラグのソケット部を、着脱機構の凹所にその開放口から挿入してスライドさせるだけで済むので装着作業を容易に行うことが可能である。また、この構成を採用すると、メインプラグの凹所やサブプラグのソケット部を着脱機構の要素として利用しているので、凹所の形成箇所やソケット部の形成箇所とは別の箇所に着脱機構を設ける必要がなくなって、それだけメインプラグやサブプラグの小形化が促進される。
【００１３】
本考案では、上記突条が、上記開放口から上記凹所に嵌合された上記ソケット部の左右の側縁部に対応する箇所にそれぞれ設けられていて、これらの突条は、上記凹所に嵌合された上記ソケット部の左右の側縁部に係合してこのソケット部が上記凹所から抜脱することを阻止する抜脱阻止部を形成している、という構成を採用することが望ましい。この構成であると、メインプラグの第１ボディを指で掴んで引っ張ることによってメインプラグに装着したサブプラグの第２栓刃をコンセントから引き抜くときに、着脱機構の突条がサブプラグのソケット部に係合する。そのため、サブプラグのソケット部がメインプラグの第１栓刃から引き抜かれてしまうという事態の起こることが防止される。このことにより、コンセントからの取外し操作性が向上する。
【００１４】
本考案では、上記第１ボディ及び上記第２ボディのいずれか一方側に板ばね部とその板ばね部に具備された突起が備わり、他方側に、上記ソケット部を上記凹所内でスライドさせたときに上記突起が板ばねの変位を伴って嵌脱する凹部が設けられていて、これらの突起と凹部とによって、メインプラグに装着されたサブプラグの位置決め機構が構成されている、という構成を採用することが可能である。これによれば、突起と凹部との嵌合によってメインプラグにサブプラグが確実に装着されると共に、ユーザにとっては、装着時の感触をメインプラグやサブプラグを掴んでいる手の指を介して得られるという利点がある。
【００１５】
本考案では、同一形状の上記ソケット部を備える複数の上記サブプラグを有し、それらのサブプラグのそれぞれの第２ボディに、タイプの異なる上記第２栓刃が各別に装備されている、という構成を採用することが可能である。この構成を採用すると、３種類以上のタイプの異なるコンセントに対して使い分けることのできる交流直流変換器を提供することが可能になる。
【考案の効果】
【００１６】
以上説明したように、本考案に係る交流直流変換器は、メインプラグやサブプラグのすべてのユニット部品が、国や地域に応じて使い分けることが可能なタイプのプラグとしての機能を持ち、その一方で、メインプラグだけに、デバイスに電力を供給するためのＵＳＢポートを具備させてあると共に、メインプラグだけを使用することも、メインプラグにサブプラグを装着して使用することも可能であるので、ユニット部品の必要個数を先行例のものよりも１個だけ少なくすることができる。その結果として、１セットでのパッケージのサイズを先行例のものよりもコンパクトにすることができ、また、価格を安く抑えることが可能で、携帯時の嵩張りが先行例のものよりも少なくて済むようになる。
【図面の簡単な説明】
【００１７】
【図１】本考案の実施形態に係る交流直流変換器の概略斜視図である。
【図２】突出姿勢の第１栓刃を備えたメインプラグの斜視図である。
【図３】待避姿勢の第１栓刃を備えたメインプラグの斜視図である。
【図４】図３のＩＶ矢視図である。
【図５】図３のＶ矢視図である。
【図６】電力変換ユニットの説明図である。
【図７】サブプラグの分解斜視図である。
【図８】サブプラグの斜視図である。
【図９】図８のＩＸ矢視図である。
【図１０】図８のＸ矢視図である。
【図１１】図１０のＸＩ−ＸＩ線に沿う部分の拡大断面図である。
【図１２】「Ｃタイプ」の第２栓刃を備えるサブプラグの形状を例示した概略斜視図である。
【図１３】「ＢＦタイプ」の第２栓刃を備えるサブプラグの形状を例示した概略斜視図である。
【図１４】「Ｏタイプ」の第２栓刃を備えるサブプラグの形状を例示した概略斜視図である。
【考案を実施するための形態】
【００１８】
図１は本考案に係る交流直流変換器の概略斜視図である。同図の交流直流変換器は、プラグ１０と、プラグ１０に装備されたＵＳＢポート６０と、図示されていない電力変換ユニット（後述する）とを備えている。そして、プラグ１０が、メインプラグ２０とサブプラグ４０とに分割されている。また、プラグ１０は、電源としてのコンセントの接続孔に挿抜可能な栓刃（後述する）と、この栓刃が取り付けられたボディ（後述する）とを有している。
【００１９】
図２及び図３はメインプラグ２０の斜視図、図４は図３のＩＶ矢視図、図５は図３のＶ矢視図、図６は電力変換ユニット３１の説明図である。また、図７はサブプラグ４０の分解斜視図、図８はサブプラグ４０の斜視図、図９は図８のＩＸ矢視図、図１０は図８のＸ矢視図、図１１は図１０のＸＩ−ＸＩ線に沿う部分の断面図である。
【００２０】
上記したプラグ１０の栓刃は、図２及び図３に示したメインプラグ２０側の第１栓刃２１と、図１に示したサブプラグ４０側の第２栓刃４１とに分かれている。また、上記したプラグ１０のボディは、図１及び図２〜図５に示したメインプラグ２０の第１ボディ２２と、図１及び図７〜図１０に示したサブプラグ４０の第２ボディ４２とに分かれている。
【００２１】
図２及び図３のように、メインプラグ２０の第１ボディ２２は略直方体形状の電気絶縁性を有する樹脂成形体によって形成されている。この第１ボディ２２の前側の一面２３に凹所２４が形成されていて、この凹所２４の開放口２７が、上記一面２３にコーナー部２５を介して隣接している上側の他面２６で開口している。そして、一対の導電片でなる第１栓刃２１が、図２のように上記一面２３から突出してコンセントの接続孔(不図示）に挿入可能な突出姿勢と、図３のように上記凹所２４に収容される待避姿勢との間で回動可能に第１ボディ２２に取り付けられている。具体的には、第１栓刃２１の基部が埋入されている一対の取付け部２８，２８が、横軸(不図示）)を介して第１ボディ２２に回動可能に取り付けられていて、その横軸の周りで基部が正逆方向に回動することによって、第１栓刃２１が上記した突出姿勢と待避姿勢との間で起倒されるようになっている。
【００２２】
また、図４のように、第１ボディ２２の下面の２箇所に、図１を参照して説明したＵＳＢポート６０が組み付けられている。さらに、第１ボディ２２には、図６に例示した電力変換ユニット３１が内蔵されている。この電力変換ユニット３１は、メインプラグ２０の第１栓刃２１に電気的に接続された電源回路３２と、この電源回路３２に電気的に接続された電流電圧変換回路３３とを備えていると共に、電流電圧変換回路３３が、上記したＵＳＢポート６０の電極に電気的に接続されている。そして、電力変換ユニット３１の作用により、第１栓刃２１によって取得した交流電力が、一定電圧の直流電力に変換されて２箇所のＵＳＢポート６０，６０に供給される仕様になっている。これらのＵＳＢポート６０，６０において、一方側のＵＳＢポート６０では、たとえば５Ｖの電圧で１Ａの電流が出力され、他方側のＵＳＢポート６０では、たとえば５Ｖの電圧で２．１Ａの電流が出力される。また、図５のように、第１ボディ２２の背面には発光窓３４が設けられていて、図６に示した電源回路に接続されたＬＥＤ光源３５がその発光窓３４に臨んでいる。ＬＥＤ光源３５は、電源回路３２に電力が供給されたときに所定の色、たとえばオレンジ色に点灯して通電中であることが表示されるようになっている。
【００２３】
図７及び図８のように、サブプラグ４０は、第２ボディ４２と、第２ボディ４２にビス止めされたソケット部４３と、第２ボディ４２から前方に突出している導電ピンでなる第２栓刃４１とを有している。また、ソケット部４３は下向きに開口された栓刃挿入孔４４を有し、この栓刃挿入孔４４の形状が第１栓刃２１の形状に対応している。図７において、符号４５は、ソケット部４３を第２ボディ４２に固定するためのビスである。
【００２４】
上記したメインプラグ２０は、それ単独で使用することも、サブプラグ４０と組み合わせて使用することも可能である。そのため、メインプラグ２０とサブプラグ４０とは、着脱機構を介して着脱可能になっている。
この実施形態において、着脱機構は、図３のように待避姿勢の第１栓刃２１を収容することに使われる第１ボディ２２の凹所２４と、第１ボディ２２の他面で開口している凹所２４の開放口２７と、凹所２４に嵌合されて待避姿勢の第１栓刃２１の長手方向にスライド可能なサブプラグ４０のソケット部４３と、を有している。さらに、着脱機構は、図３に示したように、上記凹所２４の底面２４ａに対向するように第１ボディ２２に設けられて上記開放口２７から凹所２４に嵌合された上記ソケット部４３を上記底面２４ａとの間で挟む突条３６と、を有している。この突条３６は、上記開放口２７から凹所２４に嵌合されたソケット部４３の左右の側縁部に対応する箇所にそれぞれ設けられている。そして、これらの突条３６は、凹所２４に嵌合されたソケット部４３の左右の側縁部に係合してこのソケット部４３が凹所２４から前方へ抜脱することを阻止する抜脱阻止部７１を形成している。なお、図７〜図９に示したように、ソケット部４３には、上記突条３６が嵌合可能な溝部４６が設けられている。
【００２５】
メインプラグ２０に装着されたサブプラグ４０は、メインプラグ２０に対して定位置で位置決めされるようになっている。このために位置決め機構が設けられている。この実施形態において、位置決め機構は、図２のように第１ボディ２２の凹所２４内でその凹所２４を左右の空間に仕切っている壁部８１に形成された凹部８２と、図１０又は図１１のように第２ボディ４２の背面中央部の横並びの２箇所のスリットの相互間に具備された樹脂製の板ばね部８５に設けられている突起８６とを備えている。
次に、メインプラグ２０を単独で使用する場合と、メインプラグ２０にサブプラグ４０と組み合わせて使用する場合とを説明する。
【００２６】
＜メインプラグを単独で使用する場合＞
この場合は、図２のようにメインプラグ２０の第１栓刃２１を第１ボディ２２の前方へ倒して突出姿勢にして、その第１栓刃２１を電源としてのコンセント(不図示）の接続孔に挿入する。これにより、第１栓刃２１によってコンセントから取得された交流電力が、図６に示した電力変換ユニット３１により一定電圧の直流電力に変換されてＵＳＢポート６０に供給される。したがって、ＵＳＢポート６０から取り出した電力を利用してＵＳＢ規格に適合する端末デバイスを充電することができる。ここで、端末デバイスとしては、たとえばスマートフォンや携帯電話、タブレット、ＷｉＦｉルータのほか、携帯充電器などを掲げることができる。使用後は、コンセントの接続孔から引き抜いた第１栓刃２１を起立させることにより待避姿勢にして、図３のように第１ボディ２２の凹所２４に収容しておく。このように第１栓刃２１を待避姿勢にして凹所２４に収容しておくと、第１栓刃２１が第１ボディ２２から出っ張らなくなって、メインプラグ２０をコンパクトな形で保管したり形態したりすることが可能になるだけでなく、第１栓刃２１が第１ボディ２２から突き出たままになることに起因する第１栓刃の損傷や第１栓刃２１が何かに突き刺さるといった危険もなくなる。
【００２７】
＜メインプラグにサブプラグを組み合わせて使用する場合＞
この場合は、メインプラグ２０の第１栓刃２１を図３のように凹所２４に収容して待避姿勢にしたまま、上記着脱機構の機能を利用してサブプラグ４０のソケット部４３を凹所２４に嵌合し、図１のようにメインプラグ２０にサブプラグ４０を装着する。具体的には、図６に示したサブプラグ４０のソケット部４３を、図３に示したメインプラグ２０の凹所２４の開放口２７からその凹所２４に挿入することと併せて、溝部４６を突条３６に嵌合する。この装着動作を行うと、サブプラグ４０を装着するのに伴って、メインプラグ２０の第１栓刃２１がソケット部４３の栓刃挿入孔４４に挿入され、ソケット部４３の電極に第１栓刃２１が電気的に接続する。このあと、サブプラグ４０の第２ボディ４２から前方へ突出している第２栓刃４１を、電源としてのコンセント(不図示）の接続孔に挿入すると、その第２栓刃４１によってコンセントから取得された交流電力が、ソケット部４３の電極、第１栓刃２１及び電力変換ユニット３１により一定電圧の直流電力に変換されてＵＳＢポート６０に供給される。したがって、メインプラグ２０のＵＳＢポート６０から取り出した電力を利用してＵＳＢ規格に適合する端末デバイスを充電することができる。ここで、端末デバイスとしては、たとえばスマートフォンや携帯電話などの上掲したデバイスを掲げることができる。使用後は、第２栓刃４１をコンセントから引き抜いて、サブプラグ４０をメインプラグ２０に装着したまま保管するか、あるいは、ソケット部４３を凹所２４から抜き出してサブプラグ４０をメインプラグ２０から分離してそれらを個々に保管する。
【００２８】
メインプラグにサブプラグを組み合わせて使用する場合において、使用後に第２栓刃４１をコンセントから引き抜く動作は、メインプラグ２０の第１ボディ２２を指で掴んで行う。このときには、サブプラグ４０の第２栓刃４１がコンセントから抜けずに、メインプラグ２０の第１栓刃２１がサブプラグ４０のソケット部４３から引き抜かれるという事態の起こることが懸念されるけれども、この実施形態では、着脱機構の突条３６がソケット部４３の左右の側縁部に係合して抜脱阻止部７１として作用する。そのため、上記のような事態が起こらず、第２栓刃４１が確実にコンセントから引き抜かれる。
【００２９】
また、サブプラグ４０をメインプラグ２０に装着するときには、ソケット部４３を凹所２４に嵌合するのに伴って、ソケット部４３の板ばね部８５に設けられている位置決め機構の突起８６が、その板ばね部８５の変位を伴ってメインプラグ２０側の壁部８１に乗り上がった後、その凹部８２に嵌合し、それらの嵌合によってサブプラグ４０がメインプラグ２０の定位置に確実に装着される。そして、突起８６が凹部８２に嵌合するときの感触がユーザの手に伝わるので、ユーザはその感触によって、サブプラグ４０がメインプラグ２０の定位置に装着されたことを知ることができという利点もある。
【００３０】
以上説明した使用状態において、メインプラグ２０のＵＳＢポート６０から取り出した電力を利用してＵＳＢ規格に適合する端末デバイスを充電する場合には、図１に例示した中継ケーブル９０の一端のＵＳＢコネクタ９１をメインプラグ２０のＵＳＢポート６０に挿入すると共に、その中継ケーブル９０の他端の接続プラグ９２を端末デバイスの入力コネクタ(不図示）)に接続する。この点に関して、メインプラグ２０に設けられるＵＳＢポート６０を、図示のようにメインプラグ２０の第１ボディ２２に直接に設けるのではなく、第１ボディ２２から引き出した引出しケーブルの端部に設けておいてもよい。
【００３１】
次に、この種の交流直流変換器において、メインプラグ２０の第１栓刃２１と、サブプラグ４０の第２栓刃４１とは、それらのタイプが相違していて、図２及び図３に示した第１栓刃２１は「Ａタイプ」と称されているものであり、図１に示した第２栓刃４１は「Ｃタイプ」と称されているものである。国や地域によっては、他のタイプの栓刃を必要とすることもある。図１２は上記した「Ｃタイプ」と称されている第２栓刃４１を備えるサブプラグ４０の形状を例示していて、このものは、図１に示したサブプラグ４０と同一のものである。また、図１３は「ＢＦタイプ」と称されている第２栓刃４１を備えるサブプラグ４０の形状を例示し、図１４は「Ｏタイプ」と称されている第２栓刃４１を備えるサブプラグ４０の形状を例示している。
【００３２】
図１２〜図１４に例示したようなタイプの異なる第２栓刃４１を備える複数種類のサブプラグ４０は、図３に示したメインプラグ２０に付け替えて使用され、そのようにすることによって、国や地域に応じて当該交流直流変換器を使い分けることが可能になる。
【００３３】
以上説明した実施形態に係る交流直流変換器では、第１栓刃２１に適合するコンセントが使用されている国や地域では、メインプラグ２０を単独で使用することが可能である。また、図１２〜図１４のそれぞれに示した第２栓刃４１に適合するコンセントが使用されている国や地域では、それらの第２栓刃４１を備えた複数のサブプラグ４０から１つのサブプラグ４０を選択した上で、そのサブプラグ４０をメインプラグ２０と組み合わせて使用することが可能である。したがって、１個のメインプラグ２０によって構成される１個のユニット部品と、図１２〜図１４のそれぞれに示したサブプラグ４０…によって構成される３個のユニット部品と、を１セットとして販売したり携帯したりするときには、１セットを構成する４個のユニット部品によって、４種類のタイプのコンセントに対して使い分けることができるようになる。
【符号の説明】
【００３４】
２０  メインプラグ
２１  第１栓刃（栓刃）
２２  第１ボディ（ボディ）
２４  凹所
２４ａ  凹所の底面
２７  凹所の開放口
３１  電力変換ユニット
３６  突条
４０  サブプラグ
４１  第２栓刃（栓刃）
４２  第２ボディ（ボディ）
４３  ソケット部
６０  ＵＳＢポート
７１  抜脱阻止部
８２  凹部
８５  板ばね部
８６  突起
【図１】
0003195400.tif 000003
【図２】
0003195400.tif 000004
【図３】
0003195400.tif 000005
【図４】
0003195400.tif 000006
【図５】
0003195400.tif 000007
【図６】
0003195400.tif 000008
【図７】
0003195400.tif 000009
【図８】
0003195400.tif 000010
【図９】
0003195400.tif 000011
【図１０】
0003195400.tif 000012
【図１１】
0003195400.tif 000013
【図１２】
0003195400.tif 000014
【図１３】
0003195400.tif 000015
【図１４】
0003195400.tif 000016